(57)【特許請求の範囲】
【請求項１】
販売対象外商品の商品情報を在庫箱管理商品情報として入力可能かつ当該在庫箱管理商品を収納させる箱の箱番号を入力可能で、入力された箱番号と入力された在庫箱管理商品情報とを印字した商品箱管理伝票を発行可能に形成されている商品箱管理システム。
【請求項２】
前記販売対象外商品の商品情報を読取り入力することによって前記在庫箱管理商品情報を自動入力可能かつ前記箱番号が毎回異なる数として自動発番入力可能に形成されている請求項１記載の商品箱管理システム。
【請求項３】
前記箱番号をコード化変換可能かつ変換後コードを前記商品箱管理伝票に印字可能に形成されている請求項１または請求項２記載の商品箱管理システム。
【請求項４】
前記箱番号および前記在庫箱管理商品情報をメモリに記憶保持可能に形成されている請求項１から請求項３までのいずれか１項に記載された商品箱管理システム。
【請求項５】
前記箱番号をコード化変換可能かつ変換後コードを前記商品箱管理伝票に印字可能に形成されるとともに、前記商品箱管理伝票から読取り入力された箱番号に基づき前記メモリに記憶保持されている当該箱番号に対応する在庫箱管理商品情報を抽出して目視可能出力ができるように形成されている請求項４記載の商品箱管理システム。
【請求項６】
前記商品箱管理伝票の発行後に前記在庫箱管理商品とされた販売対象外商品の商品情報を商品ファイルから自動削除可能かつ前記メモリから抽出された前記在庫箱管理商品情報を販売対象商品の商品情報として商品ファイルに自動設定可能に形成されている請求項４または請求項５記載の商品箱管理システム。
【請求項７】
前記商品箱管理伝票に印字された箱番号および在庫箱管理商品情報を外部コンピュータにデータ通信を介して送信可能に形成されている請求項１から請求項６までのいずれか１項に記載された商品箱管理システム。
【発明の詳細な説明】
【０００１】
【発明の属する技術分野】
本発明は、在庫箱管理商品情報および当該在庫箱管理商品を収納させる箱の箱番号を入力可能で、入力された箱番号および在庫箱管理商品情報を印字した商品箱管理伝票を発行可能な商品箱管理システムに関する。
【０００２】
【従来の技術】
店舗（例えば、スーパーマーケット）では、例えば陳列棚に販売対象商品を陳列しておき、顧客が陳列棚から買物カゴに入れた購入商品については、商品販売データ処理装置（例えば、電子キャッシュレジスタ）を用いて商品登録および会計（精算）処理している。
【０００３】
この商品登録に関し、商品に付されたラベルをスキャンすることによって商品コードが読取り入力される。引き続き、自機内または上位機内の商品ファイルを参照して商品コードに対応する商品データ（商品名，単価等）が取得され、取得された商品データを利用して売上ファイルに記憶（商品登録）される。
【０００４】
このように、販売対象商品の現物は陳列棚に陳列され、商品データはファイル（商品ファイル）化されている。したがって、販売対象外となった商品については、その商品データを商品ファイルから変更・削除し、現物に関してはメーカーや問屋に返品していた。
【０００５】
【発明が解決しようとする課題】
ところで、例えば、メーカー等へ返却することのできないいわゆる買い切り商品に関しては、再度の販売対象商品となる場面（時期）が来るまで、販売対象外に決定され次第に本部に戻して在庫管理されている。特に、季節商品の場合には、ぎりぎりまで販売対象商品としかつ翌シーズンはできるだけ早く陳列したいために、自店舗内で在庫管理する場合も多い。しかも、在庫管理商品の種類が増大し、さらに再販復帰になるケースが年に何回も発生する等の多様化の傾向が強くなっている。したがって、かかる商品在庫管理を正確かつ迅速に行えるシステムの開発が強く求められている。
【０００６】
本発明の目的は、在庫箱管理商品およびその情報を正確に把握できかつ在庫化および再販化を迅速かつ容易に行える商品箱管理システムを提供することにある。
【０００７】
【課題を解決するための手段】
請求項１の発明は、販売対象外商品の商品情報を在庫箱管理商品情報として入力可能かつ当該在庫箱管理商品を収納させる箱の箱番号を入力可能で、入力された箱番号と入力された在庫箱管理商品情報とを印字した商品箱管理伝票を発行可能に形成された商品箱管理システムである。
【０００８】
かかる発明では、今まで販売されていたがこれからは販売しない商品の情報を、つまり販売対象外商品の商品情報を、在庫箱管理商品に係る在庫箱管理商品情報として入力する。引き続き、当該在庫箱管理商品を収納させるための箱の箱番号を入力する。すると、入力された箱番号と入力された在庫箱管理商品情報とを印字した商品箱管理伝票が発行される。
【０００９】
かくして、例えば２枚だけ印字発行された商品箱管理伝票のうちの１枚を当該商品収納済箱の表面に貼り付け、他の１枚をファイルに綴っておけば、各在庫箱管理商品（販売対象外商品）に係る当該各商品情報を箱ごとに在庫管理することができる。
【００１０】
したがって、販売対象外商品とする場合も、再び販売対象商品とする場合にも、在庫箱管理商品情報を正確に把握できるとともに箱への収納および箱からの取出し陳列も容易になる。すなわち、在庫箱管理商品およびその情報を正確に把握できかつ在庫化および再販化を迅速かつ容易に行える商品箱管理システムを提供することができる。
【００１１】
また、請求項２の発明は、前記販売対象外商品の商品情報を読取り入力することによって前記在庫箱管理商品情報を自動入力可能かつ前記箱番号が毎回異なる数として自動発番入力可能に形成された商品箱管理システムである。
【００１２】
かかる発明では、販売対象外商品に係る商品情報（例えば、ブーツ）を例えばスキャナを用いて当該商品に貼付けられたバーコードを読取り入力する。すると、読取り入力された商品情報（例えば、商品名）が在庫箱管理商品情報として自動的に入力される。なお、在庫箱管理商品情報に数量等が含まれる場合には、数量（例えば、５０足）等は例えばキー入力すればよい。ここに、入力すべき箱番号は、毎回異なる数（例えば、１５番）として自動発番されかつ自動的に入力される。
【００１３】
引き続き、販売対象外商品に係る商品情報（例えば、手袋）を、バーコードを読取り入力することによって在庫箱管理商品情報として自動的に入力する。なお、数量（例えば、２００足）等は、例えばキー入力すればよい。ここに、入力すべき箱番号は、毎回異なる数（例えば、１６番）として自動発番されかつ自動的に入力される。
【００１４】
したがって、請求項１の発明の場合と同様な作用効果を奏することができることに加え、さらに収納商品との関係において重複した箱番号が入力されることがない。
【００１５】
また、請求項３の発明は、前記箱番号をコード化変換可能かつ変換後コードを前記商品箱管理伝票に印字可能に形成された商品箱管理システムである。
【００１６】
かかる発明では、箱番号はコード（例えば、バーコード）化変換されかつ変換後コード（バーコード）を商品箱管理伝票に印字することができる。コード化変換される前の入力情報（例えば、１６番）をも印字してもよい。
【００１７】
したがって、請求項１および請求項２の各発明の場合と同様な作用効果を奏することができることに加え、さらに商品箱管理伝票から当該箱番号を迅速かつ正確に知ることができる。つまり、店員等による倉庫内での当該箱の捜索が容易になる。
【００１８】
また、請求項４の発明は、前記箱番号および前記在庫箱管理商品情報をメモリに記憶保持可能に形成された商品箱管理システムである。
【００１９】
かかる発明では、箱番号および在庫箱管理商品情報をメモリに記憶保持させておけるから、商品箱管理伝票の発行は１枚でよく、メモリ管理により商品箱管理伝票相当管理を容易に行なえ、またメモリから箱番号を指定した在庫箱管理商品情報を何時でも取出すことができる。また、例えば商品ファイルに販売対象商品としての復帰登録を自動的に行なえるように構築することが容易である。
【００２０】
したがって、請求項１から請求項３までの各発明の場合と同様な作用効果を奏することができることに加え、さらに在庫箱管理商品情報の適応性・利用性を一段と拡大できる。
【００２１】
さらに、請求項５の発明は、前記箱番号をコード化変換可能かつ変換後コードを前記商品箱管理伝票に印字可能に形成されるとともに、前記商品箱管理伝票から読取り入力された箱番号に基づき前記メモリに記憶保持されている当該箱番号に対応する在庫箱管理商品情報を抽出して目視可能出力ができるように形成された商品箱管理システムである。
【００２２】
かかる発明では、箱番号および在庫箱管理商品情報をメモリに記憶保持させておくことができ、商品箱管理伝票に印字された変換後コードの読取り入力で当該箱番号に対応する在庫箱管理商品情報をメモリから抽出して目視可能出力（例えば、表示出力，印字出力）することができるから、請求項４の発明の場合と同様な作用効果を奏することに加え、変換後コードを読取り入力するだけで当該箱番号に対応する在庫箱管理商品情報を何回でも目視確認することができ、在庫箱管理状況を何時でも正確に掌握することができる。
【００２３】
さらに、請求項６の発明は、前記商品箱管理伝票の発行後に前記在庫箱管理商品とされた販売対象外商品の商品情報を商品ファイルから自動削除可能かつ前記メモリから抽出された前記在庫箱管理商品情報を販売対象商品の商品情報として商品ファイルに自動設定可能に形成された商品箱管理システムである。
【００２４】
かかる発明では、商品箱管理伝票の発行後に、在庫箱管理商品とされた販売対象外商品の商品情報は商品ファイルから自動削除される。一方、メモリから抽出された在庫箱管理商品情報は、販売対象商品の商品情報として商品ファイルに自動設定される。
【００２５】
したがって、請求項４および請求項５の各発明の場合と同様な作用効果を奏することができることに加え、さらに在庫箱管理商品の在庫商品化および販売復帰商品化の手続きを迅速かつ確実に行なえ、取り扱いも簡単である。
【００２６】
さらにまた、請求項７の発明は、前記商品箱管理伝票に印字された箱番号および在庫箱管理商品情報を外部コンピュータにデータ通信を介して送信可能に形成された商品箱管理システムである。
【００２７】
かかる発明では、商品箱管理伝票に印字された箱番号および在庫箱管理商品情報は、例えば、チェーンストア本部に配設された外部コンピュータ（ホストコンピュータ）へデータ通信を介して送信することができるから、請求項１から請求項６までの各発明の場合と同様な作用効果を奏することができることに加え、さらに各店舗での在庫箱管理商品を全社的に箱管理することができる。
【００２８】
【発明の実施の形態】
以下、本発明の実施形態について図面を参照して説明する。
【００２９】
本商品箱管理システム（１０）は、図１に示す如く、販売対象外商品の商品情報（商品名等）を在庫箱管理商品情報として入力可能かつ当該在庫箱管理商品を収納させる箱７０の箱番号を入力可能で、入力された箱番号と入力された在庫箱管理商品情報とを印字した商品箱管理伝票５０を発行可能に形成されている。
【００３０】
この実施形態では、商品箱管理システムを、店舗内に配設された商品登録機能および会計処理機能等を実行可能な電子キャッシュレジスタ１０を利用して構築してある。専用機として構築してもよい。
【００３１】
図１において、電子キャッシュレジスタ１０は、制御部（ＣＰＵ１１，ＲＯＭ１２，ＲＡＭ１３）に、ＨＤＤ（ハードディスク装置）１４，ＦＤＤ（フレキシブルディスク装置）１５，データ入力手段およびデータ出力手段等を接続した構成とされ、商品箱管理機能をも実行可能に形成されている。
【００３２】
データ入力手段としてキーボード（Ｋ／Ｂ）２０およびスキャナ２１が接続され、データ出力手段としてオペレータ用表示器（ＣＲＴ）１９，レシート・ジャーナルプリンター（Ｒ／Ｊ）２２，顧客用表示器（ＲＩＵ）２３および伝票プリンター２４が接続されている。
【００３３】
オンラインインターフェイス（Ｉ／Ｆ）１８を介して当該店舗（各電子キャッシュレジスタ１０等）に対する外部（例えば、本部）に配設された外部コンピュータ（例えば、ホストコンピュータ）１００が接続されている。
【００３４】
ＨＤＤ（ハードディスク装置）１４には、図８に示す商品ファイル１４Ｆ，売上ファイル（図示省略）等および在庫箱管理商品情報ファイル（メモリ）１４ＺＨＫＦが設けられている。各ファイルは、ＲＡＭ１３に展開されて使用される。
【００３５】
図２において、オペレータは、例えばキーボード２０上のキー操作によって箱管理要求を発した後に（ＳＴ１０でＹＥＳ）、販売対象外商品に選択された商品（例えば、“ＡＡＡ”）のラベル（バーコード）３０から、スキャナ２１を用いて商品コードをスキャン入力つまり読取り入力（ＳＴ１１でＹＥＳ）する（図７の▲１▼を参照）。商品ごとに行われる（ＳＴ１３でＮＯ）。
【００３６】
読取り入力された“商品コード”および商品ファイル１４Ｆを参照して取得した当該“商品コード”に対応する“商品データ”は、メモリ（１３）のワークメモリ領域に一時記憶（ＳＴ１２）される。商品データには、商品名，単価（売単価）の他に、特性（例えば、“中”あるいは“小”），カラー，サイズ等も含まれる。
【００３７】
また、この実施形態では、当該商品の仕入先コード，仕入先名や店出予定日も入力される。さらに、売上ファイルから数量および売上金額も自動的に入力される。したがって、商品情報には、商品コード，商品データおよびその他が含まれるが、在庫箱管理商品情報としては、少なくとも商品名および収納数量があればよい。
【００３８】
オペレータは、単数または複数の商品（“ＡＡＡ”）を収納させるために選んだ箱７０の番号を、例えばキー入力（ＳＴ１６でＹＥＳ）する。この入力された箱番号（箱Ｎｏ．）も、メモリ（１４ＺＨＫＦ）に一時記憶（ＳＴ１７）される。この際に、レシート印字発行に備えて記憶保持されている店コードおよび店名が、自動的に入力される。
【００３９】
なお、予め選択切替えをしておけば（ＳＴ１４でＹＥＳ）、箱番号自動発番制御手段（ＣＰＵ１１，ＲＯＭ１２）が、決定された箱番号を自動発番（ＳＴ１５）する。商品（商品名“ＡＡＡ”）と在庫箱管理商品の数量とを入力することで、この実施形態では、当該数量分を収納させるに過不足のない十分な容積（縦・横・長さ）を持つ箱７０が選択されかつ当該選択箱の番号が自動的に発番されるわけである。
【００４０】
いずれにしても、箱番号は当該商品データ等（在庫箱管理商品情報）とともに最終的には在庫箱管理商品情報ファイル（メモリ）１４ＺＨＫＦに記憶（ＳＴ１７）される。コード化変換制御手段（ＣＰＵ１１，ＲＯＭ１２）でコード変換（ＳＴ１８）された箱番号コードつまりバーコード（２次元コード等でもよい。）５０ＣＲＤも記憶される。
【００４１】
かくして、商品箱管理伝票印字発行手段（ＣＰＵ１１，ＲＯＭ１２）は、伝票プリンター２４を駆動制御しつつ、所定事項を所定のフォーマットで印字した図５に示す商品箱管理伝票（箱入リスト）５０を、２枚だけ発行（ＳＴ１９）する（図７の▲２▼を参照）。
【００４２】
各商品箱管理伝票（箱入リスト）５０には、図５に示すように、例えば、タイトル（“箱入リスト”）、変換後コード、箱番号、店コード、店出予定日、発行日付、店名、仕入先コード、仕入先名、在庫箱管理商品情報（商品コード，商品名，売単価等）の他に、合計や担当者印欄等が印字されている。
【００４３】
１枚は管理用に綴って（ファイリング）して保管され、他の１枚は当該商品を収納させた箱７０の外面に貼り付けられる。したがって、貼り付けられた商品箱管理伝票（箱入リスト）５０を見れば、当該箱番号とこの箱７０に収納されている商品名等を含む在庫箱管理商品情報を正確に知ることができる。
【００４４】
この実施形態では、商品ファイル反映手段（ＣＰＵ１１，ＲＯＭ１２）が、在庫箱管理商品となった販売対象外商品の商品データを商品ファイル１４Ｆから削除（反映…ＳＴ２０）する。つまり、商品箱管理伝票５０の発行をもって当該商品が販売対象外になった（在庫箱管理商品になった）ことが確定したとみなし、商品ファイル１４Ｆの実働メモリ節約および通常的商品データ検索時間の短縮化を図るために商品ファイル１４Ｆから除外する。
【００４５】
なお、商品ファイル１４Ｆに残しておいても、現物がないので、他の商品についての商品登録等に影響を及ぼすことはない。
【００４６】
また、商品箱管理商品情報送信手段（ＣＰＵ１１，ＲＯＭ１２）が、図１に示す外部コンピュータ１００に商品箱管理商品を送信（ＳＴ２１）する（図７の▲３▼を参照）。本部において、各店舗での箱管理内容（箱入データ）を正確に掌握することができる。
【００４７】
オペレータが、例えばキー操作により出力要求（図４のＳＴ２２でＹＥＳ）をしかつスキャナ２１を用いて図５に示す商品箱管理伝票（箱入リスト）５０に印刷されたバーコード５０ＣＲＤを読取り入力（ＳＴ２３でＹＥＳ）する（図７の▲４▼を参照）と、在庫箱管理商品情報抽出手段（ＣＰＵ１１，ＲＯＭ１２）が、メモリ（在庫箱管理商品情報ファイル１４ＺＨＫＦ）を検索（ＳＴ２４）して、在庫箱管理商品情報を抽出（ＳＴ２５）する。
【００４８】
すると、目視可能出力制御手段（ＣＰＵ１１，ＲＯＭ１２）が、この実施形態では、抽出された在庫箱管理商品情報を表示器１９に目視可能に表示出力（ＳＴ２６）し、さらに伝票プリンター２４に図６に示す目視可能な箱管理商品出力伝票（箱出リスト）６０として印字出力（ＳＴ２７）させる（図７の▲５▼を参照）。
【００４９】
箱管理商品出力伝票（箱出リスト）６０には、図６に示すように、箱番号（箱Ｎｏ．）と少なくとも商品コードおよび商品名が印字されているので、これから当該箱乃至収納されている商品を知ることができる。当該箱７０に貼り付けられている商品箱管理伝票（箱入リスト）５０を見れば、その詳細を正確に知ることができる。
【００５０】
この箱出リスト（６０）も外部コンピュータ１００に送信（図７の▲６▼を参照）される。本部において、ある店舗である商品について再販売に踏み切ったことを正確に知ることができ、他店舗にその情報を流すことができる。
【００５１】
なお、この発明における“箱”には、ダンボール箱，木箱やプラスティク箱等の他に、据付型の箱状棚類も含まれる。但し、搬送容易なダンボール箱の方が、箱入・箱出作業が楽である。
【００５２】
かかる構成の実施形態では、今までは販売されていたがこれからは販売しない商品（販売対象外商品）として在庫箱管理しようとする商品の情報、つまり販売対象外商品の商品情報を在庫箱管理商品情報として入力（図２のＳＴ１１でＹＥＳ）する。
【００５３】
引き続き、当該在庫箱管理商品を収納させる箱７０の箱番号を入力（ＳＴ１６でＹＥＳ）する。これらは、在庫箱管理商品情報ファイル（メモリ）１４ＺＨＫＦに記憶（ＳＴ１７）される。その後に、入力された箱番号と入力された在庫箱管理商品情報とを印字した図５に示す商品箱管理伝票５０が発行（図３のＳＴ１９）される。
【００５４】
かくして、２枚だけ印字発行された商品箱管理伝票５０のうちの１枚を当該商品収納箱の表面に貼り付け、他の１枚をファイルに綴っておけば、各販売対象外商品に係る当該各商品情報を箱７０ごとに在庫箱管理することができる。
【００５５】
したがって、販売対象外商品とする場合も、再び販売対象商品とする場合にも、在庫箱管理商品情報を正確に把握できるとともに箱７０への収納および箱７０からの取出し陳列も容易になる。すなわち、在庫箱管理商品およびその情報を正確に把握できかつ在庫化および再販化を迅速かつ容易に行える商品箱管理システムを提供することができると理解される。
【００５６】
また、販売対象外商品に係る商品情報（例えば、ブーツ）を当該商品に貼り付けられたバーコードを読取り入力することによって在庫箱管理商品情報として自動的に入力（図２のＳＴ１１でＹＥＳ）する。数量（例えば、５０足）等は、キー入力すればよい。
【００５７】
しかし、自動設定（ＳＴ１４でＹＥＳ）をしておけば、入力すべき箱番号は、毎回異なる数（例えば、１５番）として自動発番されかつ自動的に入力される（ＳＴ１５）。したがって、収納商品との関係において重複した箱番号が入力されることがない。
【００５８】
なお、入力された商品の種類およびその数量等からこれを収納可能な箱７０を自動選択するとともに、この自動選択された箱７０の番号を発番するように形成することもできる。
【００５９】
また、箱番号はコード（例えば、バーコード）化変換されかつ変換後コード（バーコード）を商品箱管理伝票５０に印字することができるので、商品箱管理伝票５０から当該箱番号を迅速かつ正確に知ることができる。つまり、店員等による倉庫内での当該箱７０の捜索が容易になる。なお、コード化変換される前の入力情報（例えば、１６番）も印字されているので、目視確認もできる。
【００６０】
また、箱番号および在庫箱管理商品情報をメモリ（１４ＺＨＫＦ）に記憶保持させておけるから、商品箱管理伝票５０の発行は１枚でもよく、メモリ管理により商品箱管理伝票相当管理を容易に行なえ、またメモリ（１４ＺＨＫＦ）から箱番号を指定した在庫箱管理商品情報を何時でも取出すことができる。また、商品ファイル１４Ｆに販売対象商品としての復帰登録を自動的に行なえるように構築することが容易になる。したがって、在庫箱管理商品情報の適応性・利用性を一段と拡大できる。
【００６１】
さらに、箱番号および在庫箱管理商品情報をメモリ（１４ＺＨＫＦ）に記憶保持できるとともに商品箱管理伝票５０に印字された変換後コード５０ＣＲＤの読取り入力で当該箱番号に対応する在庫箱管理商品情報をメモリ（１４ＺＨＫＦ）から抽出して目視可能出力することができる。したがって、変換後コード５０ＣＲＤを読取り入力（図４のＳＴ２３でＹＥＳ）するだけで、箱番号に対応する在庫箱管理商品情報を何回でも目視確認（ＳＴ２６，ＳＴ２７）することができ、在庫箱管理状況を何時でも正確に掌握することができる。
【００６２】
さらに、商品箱管理伝票５０の発行後に、在庫箱管理商品とされた販売対象外商品を商品ファイル１４Ｆから自動削除（ＳＴ２０）される。一方、メモリ（１４ＺＨＫＦ）から抽出された在庫箱管理商品情報に係る在庫箱管理商品を販売対象商品として商品ファイル１４Ｆに自動設定できるから、箱管理対象商品の在庫商品化および販売復帰商品化の手続きを迅速かつ確実に行なえ、取り扱いも簡単である。
【００６３】
さらにまた、商品箱管理伝票５０に印字された箱番号および在庫箱管理商品情報は、チェーンストア本部に配設された外部コンピュータ（ホストコンピュータ）１００へデータ通信を介して送信することができるから、各店舗での在庫箱管理商品を全社的に箱管理することができる。
【００６４】
【発明の効果】
請求項１の発明によれば、入力された箱番号および在庫箱管理商品情報を印字した商品箱管理伝票を発行可能に形成された商品箱管理システムであるから、販売対象外商品とする場合も、再び販売対象商品とする場合にも、在庫箱管理商品情報を正確に把握できるとともに箱への収納および箱からの取出し陳列も容易になる。すなわち、在庫箱管理商品およびその情報を正確に把握できかつ在庫化および再販化を迅速かつ容易に行える商品箱管理システムを提供することができる。
【００６５】
また、請求項２の発明によれば、販売対象外商品の商品情報を読取り入力することによって在庫箱管理商品情報を自動入力可能かつ箱番号が毎回異なる数として自動発番入力可能に形成されているので、請求項１の発明の場合と同様な効果を奏することができることに加え、さらに収納商品との関係において重複した箱番号が入力されることがない。
【００６６】
また、請求項３の発明によれば、箱番号の変換後コードを商品箱管理伝票に印字可能に形成されているので、請求項１および請求項２の各発明の場合と同様な効果を奏することができることに加え、さらに商品箱管理伝票から当該箱番号を迅速かつ正確に知ることができる。つまり、店員等による倉庫内での当該箱の捜索が容易になる。
【００６７】
また、請求項４の発明によれば、箱番号および在庫箱管理商品情報をメモリに記憶保持可能に形成されているので、請求項１から請求項３までの各発明の場合と同様な効果を奏することができることに加え、さらに在庫箱管理商品情報の適応性・利用性を一段と拡大できる。
【００６８】
さらに、請求項５の発明によれば、変換後コードを商品箱管理伝票に印字可能で、商品箱管理伝票から読取り入力された箱番号に基づきメモリに記憶保持されている当該在庫箱管理商品情報を抽出して目視可能出力できるので、請求項４の発明の場合と同様な効果を奏することに加え、変換後コードを読取り入力するだけで当該箱番号に対応する在庫箱管理商品情報を何回でも目視確認することができ、在庫箱管理状況を何時でも正確に掌握することができる。
【００６９】
さらに、請求項６の発明によれば、商品箱管理伝票の発行後に在庫箱管理商品とされた販売対象外商品の商品情報を商品ファイルから自動削除可能かつメモリから抽出された在庫箱管理商品情報を販売対象商品の商品情報として商品ファイルに自動設定可能に形成されているので、請求項４および請求項５の各発明の場合と同様な効果を奏することができることに加え、さらに箱管理対象商品の在庫商品化および販売復帰商品化の手続きを迅速かつ確実に行なえ、取り扱いも簡単である。
【００７０】
さらにまた、請求項７の発明によれば、商品箱管理伝票に印字された箱番号および在庫箱管理商品情報を外部コンピュータにデータ通信を介して送信可能に形成されているので、請求項１から請求項６までの各発明の場合と同様な効果を奏することができることに加え、さらに各店舗での在庫箱管理商品を全社的に箱管理することができる。
【図面の簡単な説明】
【図１】本発明の実施形態を説明するためのブロック図である。
【図２】同じく、作用・動作を説明するためのフローチャート（１）である。
【図３】同じく、作用・動作を説明するためのフローチャート（２）である。
【図４】同じく、作用・動作を説明するためのフローチャート（３）である。
【図５】同じく、商品箱管理伝票を説明するための図である。
【図６】同じく、箱管理商品出力伝票を説明するための図である。
【図７】同じく、箱管理（箱入データ管理および箱出データ管理）を説明するための図である。
【図８】商品ファイルを説明するための図である。
【符号の説明】
１０  電子キャッシュレジスタ（商品箱管理システム）
１１  ＣＰＵ
１２  ＲＯＭ
１３  ＲＡＭ
１４  ハードディスク装置
１４Ｆ  商品ファイル
１４ＺＨＫＦ  在庫箱管理商品情報ファイル（メモリ）
１９  ＣＲＴ
２０  キーボード
２１  スキャナ
２４  伝票プリンター
３０  ラベル
５０  商品箱管理伝票
６０  箱管理商品出力伝票
７０  箱
１００  ホストコンピュータ（外部コンピュータ）
【図１】
0003930703.tif 000002
【図２】
0003930703.tif 000003
【図３】
0003930703.tif 000004
【図４】
0003930703.tif 000005
【図５】
0003930703.tif 000006
【図６】
0003930703.tif 000007
【図７】
0003930703.tif 000008
【図８】
0003930703.tif 000009